(57)【特許請求の範囲】
【請求項１】
パーソナルコンピュータに、公衆回線に接続されているか否かを判別して公衆回線との接続を制御する回線制御部と、公衆回線を介してＦＡＸ／データを送受信するためのＦＡＸ／データモデムと、無線モデムを含むコードレスの電話の子機とを内蔵したアダプタが接続されてなる無線データ伝送装置であって、前記回線制御部により、公衆回線に接続されていると判別された場合には、前記ＦＡＸ／データモデムにてＦＡＸ／データ変換を行うことにより、該公衆回線を介してＦＡＸ／データを送受信し、公衆回線に接続されていないと判別された場合には、前記コードレスの電話の子機を利用して公衆回線に接続されているパーソナルＦＡＸである親機に無線接続し、前記親機にてＦＡＸ／データ変換を行うことにより、該親機から公衆回線を介してＦＡＸ／データを送受信するようにしたことを特徴とする無線データ伝送装置。
【発明の詳細な説明】
【０００１】
【産業上の利用分野】
本発明は、第２世代コードレス電話装置およびそれを内蔵するパーソナルファクシミリ装置に関し、特にデータ伝送を効率的に行うのに好適な無線データ伝送装置に関する。
【０００２】
【従来の技術】
従来のコードレス電話装置は、アナログ方式のものであったが、ディジタル方式のコードレス電話装置がいわゆる第２世代コードレス電話装置として開発されつつある。
この第２世代コードレス電話装置は、ディジタル方式であることから、音声だけでなくパーソナルコンピュータ（以下ＰＣと記す）等と接続して、データをコードレス電話装置を介して伝送することが簡単にできる。
また、最近では、ＰＣで作成した文書を直接ＦＡＸ送信できるようにＦＡＸ／データモデムをＰＣに内蔵したり、あるいは市販のカードタイプ（ＰＣＭＣＩＡタイプ）のＦＡＸ／データモデムを使用する方法が広まりつつある。このカードタイプは携帯性に優れ、より簡単にＰＣ上からＦＡＸ通信が行えるようになってきた。このＦＡＸ／データモデムを使用する場合、ＰＣからＦＡＸを送信できるＦＡＸ／データモデムには必ず電話回線を接続する必要がある。
【０００３】
【発明が解決しようとする課題】
上記従来技術では、例えばカードタイプのＦＡＸ／データモデムを使用する場合、ＰＣを電話回線の引込口近くに移動させるか、あるいは室内のコードを長く延ばす必要がある。このため、ノート型ＰＣを使用する場合でも作業場所が限定されて、優れた携帯性を充分発揮させることができず、また電話回線のコードが机上を通るため、使い勝手が悪い。
また、ＰＣに接続されたＦＡＸ／データモデムでＦＡＸ受信を行うためには、ＰＣの電源を常にＯＮ（待機状態）にしておく必要があり、利便性および操作性に問題がある。
本発明の目的は、このような問題点を改善し、ノート型ＰＣ等の携帯性・機動性を保ちつつ、ＦＡＸデータ伝送・受信を効率的に行うことが可能なコードレス電話装置を提供することにある。すなわち、ノート型ＰＣを使用する場合等、優れた携帯性を充分発揮させることができ、使い勝手が良い無線データ伝送装置を提供することを目的とする。また、ＦＡＸ受信を行う際、ＰＣの電源を常にＯＮにしておく必要がなく、利便性および操作性の向上に好適な無線データ伝送装置を提供することを目的とする。
【０００４】
【課題を解決するための手段】
上記目的を達成するため、本発明の無線データ伝送装置は、パーソナルコンピュータに、公衆回線に接続されているか否かを判別して公衆回線との接続を制御する回線制御部と、公衆回線を介してＦＡＸ／データを送受信するためのＦＡＸ／データモデムと、無線モデムを含むコードレスの電話の子機とを内蔵したアダプタが接続されてなる無線データ伝送装置であって、前記回線制御部により、公衆回線に接続されていると判別された場合には、前記ＦＡＸ／データモデムにてＦＡＸ／データ変換を行うことにより、該公衆回線を介してＦＡＸ／データを送受信し、公衆回線に接続されていないと判別された場合には、前記コードレスの電話の子機を利用して公衆回線に接続されているパーソナルＦＡＸである親機に無線接続し、前記親機にてＦＡＸ／データ変換を行うことにより、該親機から公衆回線を介してＦＡＸ／データを送受信するようにしたことを特徴としている。
より詳細に実施例に即して記すと、第２世代コードレス電話装置を内蔵したパーソナルＦＡＸ装置およびデータインタフェースとそのデータインタフェースに接続されたＰＣで構成されており、ＰＣ側のカードタイプＰＣＭＣＩＡアダプタには、コードレス電話部の子機機能（図１の２２〜２６，４２）、ＰＣと接続するためのＰＣＭＣＩＡインタフェース（図１の１３，１４）、およびＦＡＸ／データモデム（図１の１８）等を備え、電話回線と接続するためのインタフェース手段（図１の１９，２０）を配設し、パーソナルＦＡＸ側には、コードレス電話部の親機機能（図２の２７〜３０，４１）、ＦＡＸ／データモデム（図２の３５）等を備えて、通常のＦＡＸの送受信機能や、ＰＣとパーソナルＦＡＸ間の無線経由の送受信機能を有することに特徴がある。また、ＰＣ側のカードタイプＰＣＭＣＩＡアダプタにて、回線の接続状態に応じ、無線によるデータの通信と通常のＦＡＸ通信とを自動的に切り替えることに特徴がある。
【０００５】
【作用】
本発明における第２世代コードレス電話の子機装置においては、従来ではＰＣにＰＣＭＣＩＡカードインタフェースで接続していたカード型ＦＡＸ／データモデムや第２世代コードレス電話用のＰＣＭＣＩＡインタフェースを一体化し、無線通信側にデータを出力するか、公衆回線（有線回線）側のインタフェースを通じてデータを出力するかを自動的に切り替える。例えば、ＰＣ側からパーソナルＦＡＸ側の親機装置内のモデムを用いて無線データの送受信や回線からのデータの転送等を行うようにコントロールする。あるいは、予めスイッチによってモード設定することにより、パーソナルＦＡＸ側に有線回線にて送信されたデータをそのまま受信して出力したり、受信データを無線通信にてＰＣ側に転送する。
これにより、ＰＣを外出先に持ち出し、例えばホテル等の電話回線にモジュラージャックで接続して使用できるとともに、コードレス電話の親機の近くではその親機に無線で接続し、親機内のモデムを用いてデータの送受信を行うこともできる。あるいは、ＰＣオフ時にパーソナルＦＡＸ側に受信データを保持させておき、ＰＣオン後に出力、転送させることもできる。
また、ＰＣＭＣＩＡアダプタ側のＦＡＸ／データモデムの回線接続口のコネクタが接続されているときだけ、有線公衆回線にデータを出力するように構成することにより、適切な回線を自動的に選択して接続できるので、オペレータは回線の切り替えを気にすることなく使用できる。
【０００６】
【実施例】
以下、本発明の一実施例を図面により説明する。
図３は、本発明の一実施例における無線データ伝送システムの構成図である。図３において、１はノート型のパーソナルコンピュータ（ＰＣ）、４はデータモデム機能付きのパーソナルＦＡＸ、３はそのパーソナルＦＡＸに付加されたディジタルコードレス電話機である。このディジタルコードレス電話機付きパーソナルＦＡＸ４は、公衆回線に接続され、ディジタルコードレス電話機３は通常の電話機として使用できる。また、２はカードタイプのＰＣＭＣＩＡアダプタであって、ＦＡＸ／データモデム機能を持ち、ディジタルコードレス電話機３との無線通信機能を有するとともに、公衆回線とも接続可能な構成とする。
本実施例では、パーソナルＦＡＸ４による通常のＦＡＸ機能に加えて、カードタイプのＰＣＭＣＩＡアダプタ２にて接続されたＰＣ１から、ＴＲ−２９のクラス１、２、３（ＰＣ利用のＦＡＸ通信プロトコル）等のコマンドによりＦＡＸ／データモデム機能をコントロールして、「ＰＣ１で作成した文書をコードレスでＦＡＸ送信する機能」、パーソナルＦＡＸ側でＦＡＸ受信を行い、受信データをＰＣ側に取り込む機能」等を実現する。なお、そのＦＡＸ／データモデム機能は、通常は回線制御部（図１の１９）にモジュラージャック（図１の２０）で電話回線に接続された通常のＦＡＸモデムあるいはデータモデムとして使用される。また本実施例では、ＰＣ１より無線通信にてＦＡＸ経由のアクセスが可能であるため、公衆回線をＰＣ１まで引く必要はない。
【０００７】
次に、本実施例のパーソナルＦＡＸおよびＰＣＭＣＩＡアダプタの詳細な構成を説明する。
図１は、本発明の一実施例におけるＰＣ側のデータインタフェースに関するＰＣＭＣＩＡアダプタのブロック図である。
図１において、１２はＰＣと接続するためのカードコネクタ、１３はＰＣ側とのデータインタフェースであるＰＣＭＣＩＡカードインタフェース（Ｉ／Ｆ）、１４はＰＣＭＣＩＡ  Ｉ／Ｆ制御部、１５はＰＣ側からの送信用データあるいは受信ＦＡＸデータ等を一時保持するためのデータバッファ、１６は制御用ＣＰＵ、１７はシステムバス、１８はＦＡＸ／データモデム、１９は公衆回線との接続を制御する回線制御部、２０はモジュラーコード接続口（モジュラージャック）、２１は通信制御部である。この回線制御部１９は、回線電流を検出し、モジュラージャック２０に公衆回線が接続されたことを判別する。また、公知の無線部２２、ＴＤＭＡ部２３、無線モデム部２４、およびＡＤＰＣＭ部２５はコードレス電話の子機であって、アンテナ４２にて親機（パーソナルＦＡＸ）側と無線通信可能に構成され、コードレス電話として使用する場合にはマイク・ハンドセット接続口２６にマイクとハンドセットを接続する。
【０００８】
図２は、本発明の一実施例におけるパーソナルＦＡＸ側のブロック図である。図２において、３１はスキャナ等の読取部、３２は読み取った原稿データあるいは受信ＦＡＸデータを媒体に出力する記録部、３３はテンキーや液晶表示器等からなる操作・表示部、３４は受信ＦＡＸデータあるいは送信データを一時保持するためのデータバッファ、３５はモデム、３６は公衆回線との接続を制御する回線制御部、３７は通信制御部、３８はデータ制御部、３９は装置全体を制御するＣＰＵ、４０はシステム制御部である。また、公知の無線部２２、ＴＤＭＡ部２３、無線モデム部２４、およびＡＤＰＣＭ部２５はコードレス電話の親機であって、アンテナ４１にて子機側と無線通信可能に構成される。また、操作・表示部３３には、公衆回線から送信されたデータの受信モード（「受信データをそのままパーソナルＦＡＸへの出力するモード」と「無線通信にてＰＣ側へ転送するモード」）を切替え設定するためのスイッチ（図示せず）を備える。なお、無線通信にてＰＣ側よりデータ受信した場合には、モデム３５をＰＣ側のコントロール下におくものとする。また、本スイッチは、ＰＣ側よりソフトウェアにてコントロールすることもできる。
【０００９】
次に、本実施例のＦＡＸ／データ通信におけるＰＣＭＣＩＡアダプタ側の動作を説明する。
図４は、本発明の一実施例におけるＰＣＭＣＩＡアダプタ側の動作を示すフローチャートである。
ＰＣ側に接続されているＰＣＭＣＩＡアダプタの回線制御部１９にて、モジュラージャック２０に電話回線が接続されていることを検知すると（ステップ４０１）、通信制御部２１は、内蔵のモデム１８を使用してＦＡＸ／データ通信を行うこととして、データを有線回線側に切り替え、有線回線を通じてＦＡＸ／データの通信を行う（ステップ４０２）。一方、モジュラージャック２０に電話回線が接続されていなければ（ステップ４０１）、コードレス電話３を経由してデータを親機側のパーソナルＦＡＸ４に送りパーソナルＦＡＸ上のモデム３５をＴＲ−２９のクラス１〜３等にてコントロールすることにより通信を行う（ステップ４０３）。
【００１０】
次に、本実施例のＦＡＸ／データ通信におけるパーソナルＦＡＸ側の動作を説明する。
図５は、本発明の一実施例におけるパーソナルＦＡＸ側の動作を示すフローチャートである。
本実施例のパーソナルＦＡＸ側にはコードレス電話の親機３を内蔵してあり、ＰＣ側からの無線通信データを受信した場合には、ＰＣ側からパーソナルＦＡＸ側のモデム３５を制御するように構成してある。ＰＣ側から、データがきたことを判別したら（ステップ５０１）、内蔵のモデム３５のコントロールを切り替えて、ＰＣ側からのコントロール下におき、ＰＣからのクラス１〜３によるコントロールに従って通信動作および処理を行う（ステップ５０３）。そうでない場合には、通常のパーソナルＦＡＸ４の操作にて動作する（ステップ５０２）。この場合の受信動作については、前記スイッチにて、パーソナルＦＡＸ上に出力するモードとＰＣ側に転送するモードとの何れかに設定してある。
【００１１】
【発明の効果】
本発明によれば、ＰＣに直接接続されるインタフェースカード内に、ＦＡＸ／データモデムと第２世代コードレス電話装置を内蔵し、ＰＣ単独で使用する時には有線電話回線を接続し、第２世代コードレス電話装置の親機と接続した時にはコードレスでＦＡＸ／データの送受信を行うように構成したため、ＰＣの移動性および操作性が向上する。
また、家庭用パーソナルＦＡＸの内部に第２世代コードレス電話装置の親機を内蔵し、ＰＣ側とコードレスで接続しているときには、内部のモデムをＰＣからのコントロール下で動作するように構成したため、無線区間の状態の変化の影響を受けずにＰＣ側からＦＡＸ／データの通信が行え、通信の信頼性が向上する。また、受信は、ＰＣ側でも、ＦＡＸ側でも受信できるようにしてあるため、確実に受信できるので従来のＦＡＸモデムのみよりも操作性が向上する。
また、ＰＣ側において、電話回線が接続されているか否かを判断して電話回線が接続されている時には有線回線側、そうでないときには第２世代コードレス電話装置側にデータの流れを切り替えるように構成したため、オペレータは、接続を意識することなくデータの出力先をコントロールでき、操作性が向上する。
【図面の簡単な説明】
【図１】本発明の一実施例におけるＰＣＭＣＩＡアダプタのブロック図である。
【図２】本発明の一実施例におけるパーソナルＦＡＸ側のブロック図である。
【図３】本発明の一実施例における無線データ伝送システムの構成図である。
【図４】本発明の一実施例におけるＰＣＭＣＩＡアダプタ側の動作を示すフローチャートである。
【図５】本発明の一実施例におけるパーソナルＦＡＸ側の動作を示すフローチャートである。
【符号の説明】
１：ノート型ＰＣ、２：ＰＣＭＣＩＡアダプタ、３：ディジタルコードレス電話機、４：ディジタルコードレス電話機付きパーソナルＦＡＸ、１２：カードコネクタ、１３：ＰＣＭＣＩＡカードＩ／Ｆ：、１４：ＰＣＭＣＩＡ  Ｉ／Ｆ制御部、１５，３４：データバッファ、１６：制御用ＣＰＵ、１７：システムバス、１８：ＦＡＸデータモデム、１９，３６：回線制御部、２０：モジュラーコード接続口、２１，３７：通信制御部、２２，２７：無線部、２３，２８：ＴＤＭＡ部、２４，２９：無線モデム部、２５，３０：ＡＤＰＣＭ部、２６：マイク・ハンドセット接続口、４１，４２：アンテナ、３１：読取部、３２：記録部、３３：操作・表示部、３５：モデム、３８：データ制御部、３９：ＣＰＵ、４０：システム制御部。
【図１】
0003646325.tif 000002
【図２】
0003646325.tif 000003
【図３】
0003646325.tif 000004
【図４】
0003646325.tif 000005
【図５】
0003646325.tif 000006